(57)【要約】【課題】コンセント口に差し込んだ差込プラグにより作業者の作業を妨げることなく、使い勝手を良好なものとした作業台什器を提供すること。【解決手段】電気器具を用いて作業する作業面２ａを上面に設けた箱型の作業台什器１であって、作業面２ａを除く側面に凹入部６が形成されており、凹入部６の奥面６ａに、電気器具が備えた電源用の差込プラグ７，８を差込可能なコンセント口９を設け、コンセント口９に差込プラグ７，８を差し込んだ電気器具を用いた作業時でも、差込プラグ７，８が作業台什器１の側面から突出することを抑えることができるため、作業者の作業を妨げることなく、作業台什器１の使い勝手を良好なものとする。【選択図】図２
2012101300.tif 000002
【特許請求の範囲】
【請求項１】
電気器具を用いて作業する作業面を上面に設けた箱型の作業台什器であって、
前記作業面を除く側面に凹入部が形成されており、該凹入部の奥面に、前記電気器具が備えた電源用の差込プラグを差込可能なコンセント口が設けられていることを特徴とする作業台什器。
【請求項２】
前記凹入部は、前記コンセント口に差し込んだ前記差込プラグの突出寸法よりも長寸に凹入していることを特徴とする請求項１に記載の作業台什器。
【請求項３】
前記コンセント口は、前記凹入部の奥面の上部に設けられていることを特徴とする請求項１または２に記載の作業台什器。
【請求項４】
前記凹入部における前記コンセント口よりも下方に、前記差込プラグと前記電気器具とに架けて延びた電気ケーブルを載置可能な底板が設けられていることを特徴とする請求項３に記載の作業台什器。
【請求項５】
前記凹入部に、前記底板に載置した前記電気ケーブルの落下を防止する落下防止部が設けられていることを特徴とする請求項４に記載の作業台什器。
【発明の詳細な説明】
【技術分野】
【０００１】
本発明は、電気器具を用いて作業する作業面を上面に設けた作業台什器に関する。
【背景技術】
【０００２】
従来の作業台什器は、什器前面に電源用のコンセント口が設けられ、このコンセント口に差し込んだ差し込みプラグを介し電源供給された電気器具を利用して、作業台什器に於いて各種の作業を行っている（例えば、特許文献１参照）。
【０００３】
また、作業台什器には、隣合った各々の什器の側壁に個別に設けられたコンセント口に、導電ケーブルの両端部に設けられた差し込みプラグを差し込み、隣合った什器同士を導電ケーブルで接続することで、複数の什器に渡って電源を供給しているものもある（例えば、特許文献２参照）。
【先行技術文献】
【特許文献】
【０００４】
【特許文献１】特開２００５−４０３６９号公報（第４頁、第１図）
【特許文献２】実開昭６１−７５７４６号公報（第１頁、第２図）
【発明の概要】
【発明が解決しようとする課題】
【０００５】
しかしながら、特許文献１にあっては、什器前面のコンセント口に差し込んだ差込プラグが手前側に突出してしまうため、作業者の作業を妨げる原因となるばかりか、什器の作業面から落下した物体と衝突し、差込プラグが破損してしまう虞があるという問題がある。
【０００６】
また、特許文献２にあっては、隣合った什器の側壁間に導電ケーブルが常時架設されているため、作業者が什器の側壁間を利用する際には常に導電ケーブルとの干渉が生じるという虞がある。
【０００７】
本発明は、このような問題点に着目してなされたもので、コンセント口に差し込んだ差込プラグにより作業者の作業を妨げることなく、使い勝手を良好なものとした作業台什器を提供することを目的とする。
【課題を解決するための手段】
【０００８】
前記課題を解決するために、本発明の作業台什器は、
電気器具を用いて作業する作業面を上面に設けた箱型の作業台什器であって、
前記作業面を除く側面に凹入部が形成されており、該凹入部の奥面に、前記電気器具が備えた電源用の差込プラグを差込可能なコンセント口が設けられていることを特徴としている。
この特徴によれば、作業台什器の作業面を除く側面に形成された凹入部の奥面に、コンセント口が設けられていることで、このコンセント口に差込プラグを差し込んだ電気器具を用いた作業時でも、差込プラグが作業台什器の側面から突出することを抑えることができるため、作業者の作業を妨げることなく、作業台什器の使い勝手を良好なものとすることができる。
【０００９】
本発明の作業台什器は、
前記凹入部は、前記コンセント口に差し込んだ前記差込プラグの突出寸法よりも長寸に凹入していることを特徴としている。
この特徴によれば、凹入部のコンセント口に差し込んだ差込プラグが、凹入部から外方に突出せずに納まるため、差込プラグと干渉せずに作業面で快適に作業できるばかりか、作業面上の液体等の異物が差込プラグに触れて漏電する等の不具合を回避できる。
【００１０】
本発明の作業台什器は、
前記コンセント口は、前記凹入部の奥面の上部に設けられていることを特徴としている。
この特徴によれば、コンセント口が、作業面により近傍の箇所である凹入部の上部に設けられていることで、電気器具を用いた作業時における差込プラグの抜差しを容易に行うことができるばかりか、コンセント口の配設箇所が作業面により近傍の上部であればあるほど、水などの液体がかかり難い。
【００１１】
本発明の作業台什器は、
前記凹入部における前記コンセント口よりも下方に、前記差込プラグと前記電気器具とに架けて延びた電気ケーブルを載置可能な底板が設けられていることを特徴としている。
この特徴によれば、コンセント口に差し込んだ差込プラグから延びた電気ケーブルの余長分を、凹入部の底板に載置することで、電気ケーブルの重量負荷を差込プラグに与えることなく電気ケーブルを整えて配線できる。
【００１２】
本発明の作業台什器は、
前記凹入部に、前記底板に載置した前記電気ケーブルの落下を防止する落下防止部が設けられていることを特徴としている。
この特徴によれば、凹入部に設けた落下防止部により、電気ケーブルを底板から落下させることなく安定的に配線できるばかりか、電気ケーブルの余長分が足元に延びて、作業者の足が引っ掛かってしまう虞を回避できる。
【図面の簡単な説明】
【００１３】
【図１】実施例における作業台を示す正面図である。
【図２】凹入部を示す側断面図である。
【図３】凹入部を示す正面図である。
【図４】変形例における凹入部を示す一部拡大側断面図である。
【発明を実施するための形態】
【００１４】
本発明に係る作業台什器を実施するための形態を実施例に基づいて以下に説明する。
【実施例】
【００１５】
実施例に係る作業台什器につき、図１から図４を参照して説明する。以下、図１及び図３の紙面手前側、図２及び図４の紙面左方側を作業台の正面（前方）側として説明する。先ず図１の符号１は、本発明の適用された作業台什器としての箱型作業台である。この作業台１は、例えば、学校の理科室等で教師等の使用者が化学実験を行うために使用される作業台である。作業台１は、上端部にガスバーナーや試験管等の実験器具、オシロスコープやビーカー攪拌機等の電気器具や化学薬品を載置するための、作業台１の左右幅寸法と略同一の左右幅寸法を有する天板２を備えている。この天板２は、上面が化学実験の作業を行うための作業面２ａとなっており、天板２は作業台１の本体を構成する筐体１１上に配設されている。
【００１６】
また図１に示されるように、作業台１の右端部には、実験器具を洗浄するための給水蛇口、及び実験で使用した薬品等を廃棄するための図示しない排水口を備えたシンク３が設けられている。このシンク３の左側に配置された筐体１１には、教師が着席する際に天板２の下方に下肢を伸ばす若しくは図示しないワゴンを配置するなどのための開口部４が形成されている。この開口部４の左側には、作業台１内に実験器具や電気器具、化学薬品等を収納するための収納部５が設けられている。
【００１７】
更に、作業台１の左端部である収納部５の左側には、正面側に向けて開口するように、作業台１の正面から背面側に向けて凹入した凹入部６が筐体１１の前側面に凹設されている。図２及び図３に示すように、この凹入部６の一部を構成する奥面としての閉塞板６ａの上部には、オシロスコープやビーカー攪拌機等の電気を用いる電気器具の電源用の差込プラグ７，８を差込可能なコンセント口９が、作業台１の左右幅方向に並んで複数（本実施例では２つ）設けられている。図２に示されるように、凹入部６の奥面である閉塞板６ａは、その取付部６ｂと上部取付金具１２及び下部取付金具１３とに各々挿通したビス１４，１４で、筐体１１に取り外し可能な構造であり、閉塞板６ａを取り外すと、コンセント口９に電気的に接続された電気ケーブル９ａを通す内部空間１６が形成されている。また、筐体１１の底面若しくは外側面に開口した配線口１５を通して電気ケーブル９ａを外に出す構造になっている。このような構造の閉塞板６ａを取り外すことで、電気ケーブル９ａの配線作業をし易くできる。
【００１８】
尚、凹入部６の作業台１の正面から背面側への凹設寸法Ｌ１は、コンセント口９に差し込んだ差込プラグ７，８の作業台１の正面側への突出寸法Ｌ２よりも長寸となるように形成されている。つまり、コンセント口９に差し込んだ差込プラグ７，８は、凹入部６の外方に突出することなく全体が凹入部６内に配置されるようになっており、シンク３での水など液体を使用した際に差込プラグ７，８に液体が付着してしまうことが無いようになっている。
【００１９】
凹入部６内におけるコンセント口９よりも下方で且つ凹入部６の下端面よりも上方箇所には、閉塞板６ａから作業台１の正面側に向けて底板１０が延設されている。この底板１０の閉塞板６ａから作業台１の正面側に向けての延設寸法は、凹入部６の凹設寸法Ｌ１と略同寸となっている。
【００２０】
また、この底板１０は、凹入部６の左右幅寸法と略同一の左右幅寸法を有しており、底板１０の前端部は、上方に向けて屈曲形成された落下防止部１０ａに形成されている。このため、差込プラグ７，８と電気器具とに架けて伸びた電気ケーブル７ａ，８ａのうち、長寸に形成された電気ケーブル７ａは、電気ケーブル７ａの余長分を底板１０上に載置することができる。
【００２１】
更に、この底板１０上に載置された電気ケーブル７ａは、底板１０の前端部に形成された落下防止部１０ａによって作業台１の正面側に向けての落下が防止されるようになっているので、作業台１で作業を行う使用者が底板１０から落下してきた電気ケーブル７ａに足を絡めて転倒してしまうような事故を未然に防ぐことができる。
【００２２】
尚、本実施例では、前述したように凹入部６にコンセント口９を設けることで、差込プラグ７，８が作業台１の側面から突出することを抑えたが、変形例として図４に示すように、作業台１’の筐体２１における凹入部６内の上端面の前端部を構成する箇所に、下方に向けて突出する突出部２１ａを形成しても良い。この突出部２１ａは、特に図示しないが凹入部６の左右幅方向の略全長に沿って形成されており、且つ下方の落下防止部１０ａよりも作業者の手前側に突出している。このように凹入部６内の上端面の前端部を構成する箇所に突出部２１ａが形成されていることで、作業面２ａにて水等の液体がこぼれた際に、こぼれた液体が凹入部６内の上端面そして閉塞板６ａを伝って差込プラグ７，８に接触することなく、凹入部６の前端部にて突出部２１ａの下端部から直下方、すなわちに落下防止部１０ａよりも作業者の手前側に落下するようになっている。
【００２３】
つまり、作業面にて液体がこぼれた場合であっても、本実施例においては、液体が凹入部６内の差込プラグ７，８に付着することで漏電事故等が発生することがなく、安全に電気器具を使用することができる。
【００２４】
以上,本実施例における作業台１にあっては、電気器具を用いて作業する作業面２ａを上面に設けた箱型の作業台１であって、作業面２ａを除く側面に凹入部６が形成されており、凹入部６の奥面である閉塞板６ａに、電気器具が備えた電源用の差込プラグ７，８を差込可能なコンセント口９が設けられているので、作業台１の作業面２ａを除く側面に形成された凹入部６の閉塞板６ａに、コンセント口９が設けられていることで、このコンセント口９に差込プラグ７，８を差し込んだ電気器具を用いた作業時でも、差込プラグ７，８が作業台１の側面から突出することを抑えることができるため、作業者の作業を妨げることなく、作業台１の使い勝手を良好なものとすることができる。
【００２５】
また、凹入部６は、コンセント口９に差し込んだ差込プラグ７，８の突出寸法よりも長寸に凹入しているので、凹入部６のコンセント口９に差し込んだ差込プラグ７，８が、凹入部６から外方に突出せずに納まるため、差込プラグ７，８と干渉せずに作業面２ａで快適に作業できるばかりか、作業面２ａ上の液体等の異物が差込プラグ７，８に触れて漏電する等の不具合を回避できる。
【００２６】
また、コンセント口９は、凹入部６の閉塞板６ａの上部に設けられているので、コンセント口９が、作業面２ａにより近傍の箇所である凹入部６の閉塞板６ａの上部に設けられていることで、電気器具を用いた作業時における差込プラグ７，８の抜差しを容易に行うことができるばかりか、コンセント口９の配設箇所が作業面２ａにより近傍の上部であればあるほど、水などの液体がかかり難い。尚、凹入部６の上部に設けられているコンセント口９は、凹入部６の上下方向の中央高さ位置よりも上方位置に設けられていればよい。
【００２７】
また、凹入部６におけるコンセント口９よりも下方に、差込プラグ７，８と電気器具とに架けて延びた電気ケーブル７ａ，８ａを載置可能な底板１０が設けられているので、コンセント口９に差し込んだ差込プラグ７，８から延びた電気ケーブル７ａ，８ａの余長分を、凹入部６の底板１０に載置することで、電気ケーブル７ａ，８ａの重量負荷を差込プラグ７，８に与えることなく電気ケーブル７ａ，８ａを整えて配線できる。
【００２８】
また、凹入部６に、底板１０に載置した電気ケーブル７ａ，８ａの落下を防止する落下防止部１０ａが設けられているので、凹入部６に設けた落下防止部１０ａにより、電気ケーブル７ａ，８ａを底板１０から落下させることなく安定的に配線できるばかりか、電気ケーブル７ａ，８ａの余長分が足元に延びて、作業者の足が引っ掛かってしまう虞を回避できる。尚、落下防止部は、凹入部に設けられ電気ケーブルの落下を防止するものであれば、必ずしも本実施例のように底板１０の一部を屈曲形成した落下防止部１０ａに限られず、例えば落下防止部は、底板とは別個に該底板の前上方に設けられた板状部材若しくは柵状部材であってもよい。
【００２９】
以上、本発明の実施例を図面により説明してきたが、具体的な構成はこれら実施例に限られるものではなく、本発明の要旨を逸脱しない範囲における変更や追加があっても本発明に含まれる。
【００３０】
例えば、前記実施例では、作業台１の正面側に開口するように凹入部６を凹設したが、凹入部は、使用者が使用し易いように作業台１の右側面や左側面に凹設するようにしてもよい。
【符号の説明】
【００３１】
１，１            作業台（作業台什器）
２                天板
２ａ              作業面
３                シンク
４                開口部
５                収納部
６                凹入部
６ａ              閉塞板（奥面）
６ｂ              取付部
７，８            差込プラグ
７ａ，８ａ        電気ケーブル
９                コンセント口
９ａ              電気ケーブル
１０              底板
１０ａ            落下防止部
１１，２１        筐体
１２              上部取付金具
１３              下部取付金具
１４              ビス
１５              配線口
１６              内部空間
【図１】
2012101300.tif 000003
【図２】
2012101300.tif 000004
【図３】
2012101300.tif 000005
【図４】
2012101300.tif 000006